(57)【特許請求の範囲】
【請求項１】
複数の特定成分の成分名と各特定成分の量を、予め定められた表示順で配置する特定成分配置情報を有し、
ラベルが貼り付けられる物品に関連する情報を含む物品情報から、物品に含まれる特定成分の成分名と、物品中の当該特定成分の量が対応づけられた特定成分情報を取得する特定成分情報取得工程と、
特定成分情報で特定される特定成分の成分名と量を配置した特定成分表示ラベル印刷データを作成する特定成分表示ラベル作成工程が実行され、
特定成分情報で特定される特定成分の成分名と量の内容を書き換え不可に固定して、成分名と量の書式を選択させる書式選択操作が実行され、
特定成分表示ラベル作成工程では、書式選択操作で選択された書式に基づき、特定成分情報で特定される特定成分の成分名と量を、特定成分配置情報で特定される表示順で配置した特定成分表示ラベル印刷データを作成する
ことを特徴とするラベル作成アプリケーション。
【請求項２】
特定成分表示ラベル作成工程では、特定成分情報で特定される特定成分の成分名と量を、特定成分配置情報で特定される表示順で配置した特定成分表示ラベル印刷データを作成する
ことを特徴とする請求項１に記載のラベル作成アプリケーション。
【請求項３】
物品情報は、物品毎に複数の特定成分情報が対応付けられ、特定成分情報取得工程では、特定成分表示ラベルを作成する物品を選択させる物品選択操作により選択された物品に基づき、物品情報から特定成分情報を取得する
ことを特徴とする請求項１または請求項２に記載のラベル作成アプリケーション。
【請求項４】
特定成分表示ラベルの表示形態を、複数の異なる表示形態の中から選択させる表示形態選択操作が実行され、特定成分表示ラベル作成工程では、表示形態選択操作で選択された表示形態に基づき、特定成分情報で特定される特定成分の成分名と量を、特定成分配置情報で特定される表示順で配置した特定成分表示ラベル印刷データを作成する
ことを特徴とする請求項１〜請求項３の何れか１項に記載のラベル作成アプリケーション。
【請求項５】
特定成分情報で特定される特定成分の量の単位を選択させる量単位選択操作が実行され、特定成分表示ラベル作成工程では、量単位選択操作で選択された単位に基づき、特定成分情報で特定される特定成分の量を換算し、特定成分情報で特定される特定成分の成分名と換算された量を、特定成分配置情報で特定される表示順で配置した特定成分表示ラベル印刷データを作成する
ことを特徴とする請求項１〜請求項４の何れか１項に記載のラベル作成アプリケーション。
【請求項６】
特定成分表示ラベル作成工程では、物品を構成する原材料名と、期限情報と、製造者情報を取得して作製された期限ラベル印刷データと、特定成分表示ラベル印刷データから、期限ラベル印刷データと特定成分表示ラベル印刷データが１枚のラベルに収まるラベル印刷データを作成する
ことを特徴とする請求項１〜請求項５の何れか１項に記載のラベル作成アプリケーション。
【請求項７】
請求項１〜請求項６の何れか１項に記載のラベル作成アプリケーションが記憶された
ことを特徴とする記憶媒体。
【請求項８】
ラベルが貼り付けられる物品に関連する情報として、物品に含まれる特定成分の成分名と、物品中の当該特定成分の量が対応づけられた特定成分情報を含む物品情報を記憶した記憶手段と、
請求項１〜請求項６の何れか１項に記載のラベル作成アプリケーションを実行する制御手段を備え、
前記制御手段は、物品に含まれる特定成分の成分名と、物品中の当該特定成分の量が対応づけられた特定成分情報を、前記記憶手段から取得し、
特定成分情報で特定される特定成分の成分名と量の内容を書き換え不可に固定して、成分名と量の書式を選択させる書式選択操作画面で選択された書式に基づき、特定成分情報で特定される特定成分の成分名と量を、特定成分配置情報で特定される表示順で配置した特定成分表示ラベル印刷データを作成する
ことを特徴とする情報処理装置。
【請求項９】
請求項１〜請求項６の何れか１項に記載のラベル作成アプリケーションで作成された特定成分表示ラベル印刷データを記憶するラベル印刷データ記憶手段と、
前記ラベル印刷データ記憶手段に記憶された特定成分表示ラベル印刷データでラベルを印刷する印刷手段と
を備えたことを特徴とするラベルプリンタ。
【発明の詳細な説明】
【技術分野】
【０００１】
本発明は、特定成分と特定成分の量が印刷される特定成分ラベルを作成するラベル作成アプリケーション、ラベル作成アプリケーションが記憶された記憶媒体、ラベル作成アプリケーションが実行される情報処理装置、及び、ラベル作成アプリケーションで作成されたラベルが印刷されるラベルプリンタに関する。
【背景技術】
【０００２】
食品表示法の施行により、全ての加工食品には原材料表示と共に栄養成分表示を行うことが原則義務化される。こうした表示は、食品の包装に直接印刷される他、ラベル等に印刷して食品の包装に貼り付けるのが一般的である。
【０００３】
パーソナルコンピュータ等の情報処理装置で作成した原料表示ラベル等の印刷データファイルをラベルプリンタに転送、保存し、情報処理装置が無くてもラベルの印刷や編集を可能としたラベルプリンタが知られている。このようなラベルプリンタでは、情報処理装置のアプリケーションで作成した印刷レイアウトをＵＳＢ等の通信ポートを介して直接印刷できる他、プリンタ本体で編集、印刷できる形式に変換して、ＵＳＢメモリやプリンタ内蔵メモリに書き出し、プリンタ本体のみで編集、印刷をすることができる（例えば、特許文献１，２参照）。
【０００４】
また、ラベルプリンタでは、食品の原材料や含有成分の情報を記憶し、ラベル発行の際に含有量を計算して所定のレイアウトの配置する技術が提案されている（例えは、特許文献３、４参照）。
【先行技術文献】
【特許文献】
【０００５】
【特許文献１】特開２００５−２３８５２４号公報
【特許文献２】特開２０１０−０５２２９８号公報
【特許文献３】特開昭６２−１２２９３４号公報
【特許文献４】特許第５３９１８８４号公報
【発明の概要】
【発明が解決しようとする課題】
【０００６】
栄養成分表示は、その書式や表示内容が法律で定められているため、それに適合させるようにラベルの印刷データを作成するのは煩わしかった。
【０００７】
また、ラベルプリンタ側で編集が可能な構成では、レイアウトの自由度が低く、ラベルサイズや栄養成分以外の情報、例えば、原材料表示や製造者情報等の配置の都合で、栄養成分表示の表示位置及び書式を、法律に適合する範囲で容易に変更することはできなかった。
【０００８】
更に、ラベルプリンタに食品の原材料や含有成分の情報を記憶する構成では、プリンタに記憶しておくべき情報が多岐にわたり、メモリ等の記憶媒体の容量が大きくなることに加え、プリンタ本体に高解像度の表示装置や入力デバイスといったラベル編集のための高価なユーザインタフェースが必要なる。
【０００９】
本発明は、このような課題を解決するためなされたもので、特定成分と特定成分の量が印刷される特定成分ラベルを、法律で定められた書式で容易に作成可能としたラベル作成アプリケーション、ラベル作成アプリケーションが記憶された記憶媒体、ラベル作成アプリケーションが実行される情報処理装置、及び、ラベル作成アプリケーションで作成されたラベルが印刷されるラベルプリンタを提供することを目的とする。
【課題を解決するための手段】
【００１０】
上述した課題を解決するため、本発明は、複数の特定成分の成分名と各特定成分の量を、予め定められた表示順で配置する特定成分配置情報を有し、ラベルが貼り付けられる物品に関連する情報を含む物品情報から、物品に含まれる特定成分の成分名と、物品中の当該特定成分の量が対応づけられた特定成分情報を取得する特定成分情報取得工程と、特定成分情報で特定される特定成分の成分名と量を配置した特定成分表示ラベル印刷データを作成する特定成分表示ラベル作成工程が実行され、特定成分情報で特定される特定成分の成分名と量の内容を書き換え不可に固定して、成分名と量の書式を選択させる書式選択操作が実行され、特定成分表示ラベル作成工程では、書式選択操作で選択された書式に基づき、特定成分情報で特定される特定成分の成分名と量を、特定成分配置情報で特定される表示順で配置した特定成分表示ラベル印刷データを作成するラベル作成アプリケーションである。
【００１１】
本発明では、物品に含まれる特定成分の成分名と、物品中の当該特定成分の量が対応づけられた特定成分情報を取得し、特定成分情報で特定される特定成分の成分名と量を配置した特定成分表示ラベル印刷データを作成することで、特定成分表示ラベル作成時に特定成分の成分名と量を入力する必要がなく、ラベル作成の手間が低減されると共に、当該アプリケーションを使用して作成されたラベル印刷時において、入力ミスによる誤発行が発生しない。また、本発明では、特定成分表示ラベル印刷データの作成時に、特定成分の成分名と値の内容は書き換えを不可として、フォント等の書式の変更が可能である。
【００１２】
また、本発明は、特定成分表示ラベル作成工程では、特定成分情報で特定される特定成分の成分名と量を、特定成分配置情報で特定される表示順で配置した特定成分表示ラベル印刷データを作成するラベル作成アプリケーションである。
【００１３】
本発明では、特定成分情報で特定される特定成分の成分名と量を、特定成分配置情報で特定される表示順で配置した特定成分表示ラベル印刷データが作成されることで、決められた表示順に従い特定成分の成分名と量を配置する必要がある特定成分表示ラベルを、容易に作成可能である。
【００１４】
更に、本発明は、物品情報は、物品毎に複数の特定成分情報が対応付けられ、特定成分情報取得工程では、特定成分表示ラベルを作成する物品を選択させる物品選択操作により選択された物品に基づき、物品情報から特定成分情報を取得するラベル作成アプリケーションである。
【００１５】
本発明では、特定成分の成分名と量を表示する必要のある特定成分表示ラベル印刷データを作成する際に、物品毎の特定成分情報を容易に取得可能である。
【００１６】
また、本発明は、特定成分表示ラベルの表示形態を、複数の異なる表示形態の中から選択させる表示形態選択操作が実行され、特定成分表示ラベル作成工程では、表示形態選択操作で選択された表示形態に基づき、特定成分情報で特定される特定成分の成分名と量を、特定成分配置情報で特定される表示順で配置した特定成分表示ラベル印刷データを作成するラベル作成アプリケーションである。
【００１７】
本発明では、ラベルの大きさ、あるいは、ラベル中で特定成分の成分名と量を表示する範囲等に応じて、特定成分表示ラベルの表示形態を切り替えることが可能である。
【００１８】
更に、本発明は、特定成分情報で特定される特定成分の量の単位を選択させる量単位選択操作が実行され、特定成分表示ラベル作成工程では、量単位選択操作で選択された単位に基づき、特定成分情報で特定される特定成分の量を換算し、特定成分情報で特定される特定成分の成分名と換算された量を、特定成分配置情報で特定される表示順で配置した特定成分表示ラベル印刷データを作成するラベル作成アプリケーションである。
【００１９】
本発明では、特定成分を表示する単位を、所定の重さ単位、一物品単位等、予め決められた単位の中から選択して、特定成分表示ラベル印刷データの作成が可能であり、単位を変更する際に、人手による換算の必要はない。
【００２２】
更に、本発明は、特定成分表示ラベル作成工程では、物品を構成する原材料名と、期限情報と、製造者情報を取得して作製された期限ラベル印刷データと、特定成分表示ラベル印刷データから、期限ラベル印刷データと特定成分表示ラベル印刷データが１枚のラベルに収まるラベル印刷データを作成するラベル作成アプリケーションである。
【００２３】
本発明では、特定成分の成分名と値が表示される特定成分表示ラベルと、物品の期限情報等が表示される期限ラベルを合成したラベル印刷データの作成が可能である。
【００２４】
また、本発明は、上述したラベル作成アプリケーションが記憶された記憶媒体である。本発明では、ラベル作成アプリケーションが記憶媒体で提供されることで、パーソナルコンピュータ等の情報処理装置を使用して、特定成分表示ラベル印刷データの作成が可能となる。
【００２５】
更に、本発明は、ラベルが貼り付けられる物品に関連する情報として、物品に含まれる特定成分の成分名と、物品中の当該特定成分の量が対応づけられた特定成分情報を含む物品情報を記憶した記憶手段と、上述したラベル作成アプリケーションを実行する制御手段を備え、制御手段は、物品に含まれる特定成分の成分名と、物品中の当該特定成分の量が対応づけられた特定成分情報を記憶手段から取得し、特定成分情報で特定される特定成分の成分名と量の内容を書き換え不可に固定して、成分名と量の書式を選択させる書式選択操作画面で選択された書式に基づき、特定成分情報で特定される特定成分の成分名と量を、特定成分配置情報で特定される表示順で配置した特定成分表示ラベル印刷データを作成する情報処理装置である。
【００２６】
本発明では、情報処理装置は、物品に含まれる特定成分の成分名と、物品中の当該特定成分の量が対応づけられた特定成分情報を含む物品情報が記憶され、ラベル作成アプリケーションを実行することで、物品情報から特定成分情報を取得して、特定成分情報で特定される特定成分の成分名と量を配置した特定成分表示ラベル印刷データを作成する。これにより、特定成分表示ラベル作成時に、ラベル作成の作業者による特定成分の成分名と量の入力が必要なく、ラベル作成の手間が低減されると共に、ラベル印刷時において、入力ミスによる誤発行が発生しない。また、本発明では、特定成分表示ラベル印刷データの作製時に、特定成分の成分名と値の内容は書き換えを不可として、フォント等の書式の変更が可能である。
【００２９】
更に、本発明は、上述したラベル作成アプリケーションで作成された特定成分表示ラベル印刷データを記憶するラベル印刷データ記憶手段と、ラベル印刷データ記憶手段に記憶された特定成分表示ラベル印刷データでラベルを印刷する印刷手段とを備えたラベルプリンタである。
【００３０】
本発明では、ラベルプリンタは、ラベル作成アプリケーションで作成された特定成分表示ラベル印刷データでラベルを印刷することが可能である。
【００３１】
なお、本発明のラベル作成アプリケーションは、特定成分表示ラベル作成工程では、特定成分の成分名と量の表示範囲の外側に、枠が表示可能か否かを判断し、枠が表示可能であると、特定成分情報で特定される特定成分の成分名と量を、特定成分配置情報で特定される表示順で配置すると共に、特定成分の成分名と量の表示範囲の外側に枠を配置した特定成分表示ラベル印刷データを作成し、枠が表示不可であると、特定成分情報で特定される特定成分の成分名と量を、特定成分配置情報で特定される表示順で配置すると共に、特定成分の成分名と量の表示範囲の外側の枠を非配置とした特定成分表示ラベル印刷データを作成することとしても良い。
【００３２】
これにより、特定成分の成分名と量の表示範囲の外側に枠が表示可能であれば、枠が表示される一方、枠がラベルからはみ出してしまう等、枠が表示不可であると、枠を非表示とした特定成分表示ラベル印刷データの作成が可能である。
【００３３】
また、本発明のラベル作成アプリケーションでは、特定成分の成分名と量の表示範囲の外側に、枠を表示するか否かを選択させる枠表示選択操作が実行され、特定成分表示ラベル作成工程では、枠表示選択操作で選択された枠の表示の有無に基づき、特定成分情報で特定される特定成分の成分名と量を、特定成分配置情報で特定される表示順で配置した特定成分表示ラベル印刷データを作成することとしても良い。これにより、枠の表示の有無を、ラベル作成の作業者が選択可能となる。
【００３４】
更に、本発明のラベル作成アプリケーションでは、物品情報は、特定成分情報に、特定成分の内訳と内訳毎の量が対応付けられ、特定成分情報取得工程では、内訳を表示する特定成分を選択させる内訳表示選択操作により選択された特定成分に基づき特定成分情報を取得し、特定成分表示ラベル作成工程では、内訳を表示すると選択された特定成分について、内訳と内訳毎の量を、特定成分配置情報で特定される表示順で配置した特定成分表示ラベル印刷データを作成することとしても良い。
【００３５】
これにより、特定成分の内訳と内訳毎の量を表示する特定成分表示ラベル印刷データの作成が可能となり、特定成分の内訳を表示する際に、人手による入力の必要はない。
【００３６】
また、本発明のラベル作成アプリケーションでは、物品情報は、特定成分以外の他成分と、他成分の量が対応付けられた他成分表示情報を含み、特定成分表示ラベル作成工程では、特定成分情報で特定される特定成分の成分名と量を、特定成分配置情報で特定される表示順で配置すると共に、他成分表示情報で特定される他成分の成分名と量を配置した特定成分表示ラベル印刷データを作成することとしても良い。
【００３７】
これにより、特定成分以外の他成分についても、特定成分と同様に、成分名と値が表示される特定成分表示ラベル印刷データを作成することが可能である。
【００３８】
更に、本発明のラベル作成アプリケーションでは、物品情報は、物品を構成する原材料名を含み、特定成分表示ラベル作成工程では、特定成分情報で特定される特定成分の成分名と量を、特定成分配置情報で特定される表示順で配置すると共に、原材料名を配置した特定成分表示ラベル印刷データを作成することとしても良い。
【００３９】
これにより、特定成分に加えて、特定成分を含む原材料の原材料名が表示される特定成分表示ラベル印刷データを作成することが可能である。
【００４０】
また、本発明のラベル作成アプリケーションでは、物品情報は、特定成分の原材料毎の内訳と内訳毎の量が対応付けられ、特定成分表示ラベル作成工程では、特定成分情報で特定される特定成分の成分名と量を、特定成分配置情報で特定される表示順で配置すると共に、特定成分の原材料毎の内訳と内訳毎の量を配置した特定成分表示ラベル印刷データを作成することとしても良い。
【００４１】
これにより、原材料毎に含まれる特定成分の成分名と量が表示される特定成分表示ラベル印刷データを作成することが可能である。
【００４２】
本発明の情報処理装置では、制御手段は、特定成分表示ラベルを作成する物品を選択させる物品選択操作画面で選択された物品に基づき、物品情報から特定成分情報を取得し、特定成分情報で特定される特定成分の成分名と量を、特定成分配置情報で特定される表示順で配置した特定成分表示ラベル印刷データを作成することとしても良い。
【００４３】
これにより、特定成分の成分名と量を表示する必要のある特定成分表示ラベル印刷データを作成する際に、物品毎の特定成分情報を容易に取得可能である。
【００４４】
また、本発明の情報処理装置では、制御手段は、特定成分表示ラベルの表示形態を、複数の異なる表示形態の中から選択させる表示形態選択操作画面で選択された表示形態に基づき、特定成分情報で特定される特定成分の成分名と量を、特定成分配置情報で特定される表示順で配置した特定成分表示ラベル印刷データを作成することとしても良い。
【００４５】
これにより、ラベルの大きさ、あるいは、ラベル中で特定成分の成分名と量を表示する範囲等に応じて、特定成分表示ラベルの表示形態を切り替えることが可能である。
【００４６】
更に、本発明の情報処理装置では、制御手段は、特定成分情報で特定される特定成分の量の単位を選択させる量単位選択操作画面で選択された単位に基づき、特定成分情報で特定される特定成分の量を換算し、特定成分情報で特定される特定成分の成分名と換算された量を、特定成分配置情報で特定される表示順で配置した特定成分表示ラベル印刷データを作成することとしても良い。
【００４７】
これにより、特定成分を表示する単位を、所定の重さ単位、一物品単位等、予め決められた単位の中から選択して、特定成分表示ラベル印刷データの作成が可能であり、単位を変更する際に、人手による換算の必要はない。
【発明の効果】
【００４８】
本発明では、物品に含まれる特定成分の成分名と、物品中の当該特定成分の量が対応づけられた特定成分情報を取得し、特定成分情報で特定される特定成分の成分名と量を配置した特定成分表示ラベル印刷データを作成することで、特定成分表示ラベル作成時に特定成分の成分名と量を入力する必要がなく、ラベル作成の手間が低減されると共に、当該アプリケーションを使用して作成されたラベル印刷時において、入力ミスによる誤発行が発生しない。
【００４９】
また、本発明では、特定成分情報で特定される特定成分の成分名と量を、特定成分配置情報で特定される配置で特定成分表示ラベル印刷データが作成されることで、規則に従い特定成分の成分名と量を配置する必要がある特定成分表示ラベルを、容易に作成可能である。
【図面の簡単な説明】
【００５０】
【図１】本実施の形態のラベル作成アプリケーションの機能構成例を示す機能ブロック図である。
【図２】本実施の形態のラベル作成アプリケーションで作成される特定成分表示ラベルの一例を示す説明図である。
【図３】本実施の形態のラベル作成・発行システムの一例を示す構成図である。
【図４】本実施の形態の情報処理装置の一例を示す機能構成図である。
【図５】商品マスタの一例を示す説明図である。
【図６】表示形態選択操作画面の一例を示す説明図である。
【図７】商品選択操作画面の一例を示す説明図である。
【図８】量単位選択操作画面の一例を示す説明図である。
【図９】表示単位選択項目で選択可能な表示単位の一例を示す説明図である。
【図１０】本実施の形態のラベルプリンタの一例を示す機能構成図である。
【図１１】本実施の形態のラベルプリンタの一例を示す構成図である。
【図１２】本実施の形態の特定成分表示ラベル印刷データの作成動作の一例を示すフローチャートである。
【図１３】特定成分が表示された期限ラベルの一例を示す説明図である。
【図１４】特定成分が表示された期限ラベルの他の例を示す説明図である。
【図１５】特定成分が表示された期限ラベルの他の例を示す説明図である。
【図１６】特定成分が表示された期限ラベルの他の例を示す説明図である。
【図１７】特定成分の内訳を表示した特定成分表示ラベルの一例を示す説明図である。
【図１８】特定成分の内訳を表示した特定成分表示ラベルの他の例を示す説明図である。
【図１９】含有量が基準値未満の特定成分表示処理の一例を示す説明図である。
【図２０】含有量が０の特定成分表示処理の一例を示す説明図である。
【図２１】商品マスタの他の例を示す説明図である。
【図２２】商品マスタの作成処理の一例を示す説明図である。
【発明を実施するための形態】
【００５１】
以下、図面を参照して、本発明のラベル作成アプリケーション、ラベル作成アプリケーションが記憶された記憶媒体、ラベル作成アプリケーションが実行される情報処理装置、及び、ラベル作成アプリケーションで作成されたラベルが印刷されるラベルプリンタの実施の形態について説明する。
【００５２】
＜本実施の形態のラベル作成アプリケーションの機能構成例＞
図１は、本実施の形態のラベル作成アプリケーションの機能構成例を示す機能ブロック図、図２は、本実施の形態のラベル作成アプリケーションで作成される特定成分表示ラベルの一例を示す説明図である。また、図３は、本実施の形態のラベル作成アプリケーションで特定成分表示ラベルを作成して印刷するラベル作成・発行システムの一例を示す構成図である。
【００５３】
本実施の形態のラベル作成アプリケーションＡ１は、図３に示すラベル作成・発行システム１００を構成するパーソナルコンピュータ等の情報処理装置ＰＣにインストールされる。情報処理装置ＰＣでは、ラベル作成アプリケーションＡ１が実行されて、特定成分表示ラベル印刷データＤＬが作成される。
【００５４】
情報処理装置ＰＣで作成された特定成分表示ラベル印刷データＤＬは、ラベルプリンタＬＰで使用可能なデータフォーマットに変換され、ＵＳＢメモリ等の外部メモリＭｅに記憶される。
【００５５】
外部メモリＭｅに記憶された特定成分表示ラベル印刷データＤＬは、ラベル作成・発行システム１００を構成するラベルプリンタＬＰにダウンロードされる。ラベルプリンタＬＰでは、特定成分表示ラベル印刷データＤＬを使用して、図２に示す特定成分表示ラベルＬを印刷して発行する。なお、情報処理装置ＰＣからラベルプリンタＬＰへの特定成分表示ラベル印刷データＤＬの送信は、ＵＳＢ、イーサネット（登録商標）、無線ＬＡＮ等の通信手段を使用しても良い。
【００５６】
図２に示す特定成分表示ラベルＬが貼着される物品としては、食品が想定される。食品に貼着される特定成分表示ラベルＬでは、法令で表示が義務付けられ、かつ、表示順が決められた特定成分として、エネルギー（熱量）、たんぱく質、脂質、炭水化物、食塩相当量の５項目と、各特定成分の量が、所定の順番で印刷されて表示される。
【００５７】
本実施の形態のラベル作成アプリケーションＡ１は、図１に示す表示形態選択操作処理Ａ２、特定成分配置情報取得処理Ａ３、商品選択操作処理Ａ４、特定成分情報取得処理Ａ５、量単位選択操作処理Ａ６、量単位演算処理Ａ７及び特定成分表示ラベル作成処理Ａ８が実行されて、特定成分表示ラベルＬを印刷するための特定成分表示ラベル印刷データＤＬを作成する。
【００５８】
表示形態選択操作処理Ａ２では、図２に示す特定成分表示ラベルＬに表示される複数の特定成分の成分名と各特定成分の量の表示形態を、複数の異なる表示形態の中から選択させる表示形態選択操作が実行される。
【００５９】
特定成分配置情報取得処理Ａ３では、複数の特定成分の成分名と各特定成分の量を予め定められた表示順で配置する配置情報が、表示形態選択操作処理Ａ２で選択可能とした表示形態に応じて設定された特定成分配置情報Ｄｍ１から、表示形態選択操作処理Ａ２で選択された表示形態に該当する特定成分配置情報Ｄ１を取得する処理が実行される。
【００６０】
商品選択操作処理Ａ４では、特定成分表示ラベル印刷データを作成する物品として、例えば、商品名あるいは食品名等を選択させる商品選択操作が実行される。
【００６１】
特定成分情報取得処理Ａ５では、複数の特定成分の成分名と各特定成分の量が商品毎に対応付けられた特定成分情報が記憶された商品マスタＤｍ２から、商品選択操作処理Ａ４で選択された商品に該当する特定成分情報Ｄ２を取得する処理が実行される。
【００６２】
量単位選択操作処理Ａ６では、特定成分の量を表示する単位を選択させる量単位選択操作が実行される。
【００６３】
量単位演算処理Ａ７では、商品選択操作処理Ａ４で選択された商品に該当する特定成分情報Ｄ２で特定される特定成分の量を、量単位選択操作で選択された単位に換算する演算処理が実行される。
【００６４】
特定成分表示ラベル作成処理Ａ８では、商品選択操作処理Ａ４で選択された商品に該当する特定成分情報Ｄ２で特定される特定成分の成分名と量を、表示形態選択操作処理Ａ２で選択された表示形態に該当する特定成分配置情報Ｄ１で特定される表示順で配置した特定成分表示ラベル印刷データＤＬが作成される。
【００６５】
＜本実施の形態の情報処理装置の構成例＞
図４は、本実施の形態の情報処理装置の一例を示す機能構成図である。図５は、商品マスタの一例を示す説明図である。図６は、表示形態選択操作画面の一例を示す説明図、図７は、商品選択操作画面の一例を示す説明図、図８は、量単位選択操作画面の一例を示す説明図である。
【００６６】
次に、各図を参照して、上述した本実施の形態のラベル作成アプリケーションＡ１が実行される情報処理装置ＰＣの構成、及び、情報処理装置ＰＣで実行される処理について説明する。
【００６７】
情報処理装置ＰＣは、図１に示すラベル作成アプリケーションＡ１が実行される制御部１０を備える。ラベル作成アプリケーションＡ１は、ＣＤ−ＲＯＭ、ＤＶＤ−ＲＯＭ等の記憶媒体ＣＤに記憶されて提供される。情報処理装置ＰＣは、記憶媒体ＣＤからラベル作成アプリケーションＡ１を取得する読取部１１と、ラベル作成アプリケーションＡ１及び図８に示す商品マスタＤｍ２等が記憶される記憶部１２を備える。
【００６８】
また、情報処理装置ＰＣは、特定成分表示ラベル印刷データＤＬを作成する操作を受ける入力部１３と、特定成分表示ラベル印刷データＤＬを作成する操作画面が表示される表示部１４を備える。
【００６９】
更に、情報処理装置ＰＣは、外部メモリＭｅに特定成分表示ラベル印刷データＤＬを書き出す書き出し部１５と、ラベルプリンタＬＰを含む外部装置と接続される通信部１６を備える。
【００７０】
制御部１０は制御手段の一例で、ＣＰＵ、ＭＰＵと称されるマイクロプロセッサと、記憶手段としてＲＡＭ、ＲＯＭ等のメモリを備える。制御部１０は、図１に示すラベル作成アプリケーションＡ１で、表示形態選択操作処理Ａ２、特定成分配置情報取得処理Ａ３、商品選択操作処理Ａ４、特定成分情報取得処理Ａ５、量単位選択操作処理Ａ６、量単位演算処理Ａ７及び特定成分表示ラベル作成処理Ａ８を実行する。
【００７１】
読取部１１は読取手段の一例で、ＣＤ−ＲＯＭドライブ、ＤＶＤ−ＲＯＭドライブ等の光学ドライブで構成され、記憶媒体ＣＤからラベル作成アプリケーションＡ１を読み取る。また、読取部１１は、ＵＳＢメモリに対してデータの読み取り及び書き出しを行うＵＳＢドライブでも良い。記憶部１２は記憶手段の一例で、ＨＤＤ（ハードディスクドライブ）、ＳＳＤ（ソリッドステートドライブ）等の大容量記憶装置で構成される。
【００７２】
入力部１３は入力手段の一例で、キーボード、マウス等の入力装置で構成される。表示部１４は表示手段の一例で、ディスプレイ等の表示装置で構成される。書き出し部１５は書き出し手段の一例で、本例では、外部メモリＭｅであるＵＳＢメモリに対してデータの読み取り及び書き出しを行うＵＳＢホストインターフェースで構成される。通信部１６は通信手段の一例で、イーサネット（登録商標）モジュール、ＵＳＢ等の有線による通信装置、無線ＬＡＮ等の無線による通信装置で構成される。
【００７３】
次に、情報処理装置ＰＣで作成される商品マスタＤｍ２について説明する、図５（ａ）に示す商品マスタＤｍ２は、情報処理装置ＰＣで操作可能な所定のファイル形式で作成されていれば良く、例えば、表計算ソフトで作成が可能である。
【００７４】
商品マスタＤｍ２は、食品名、商品名、表示が義務付けられた特定成分である栄養成分の量が入力される。例えば、表計算ソフトで作成される表の１行目に、入力すべき項目として、食品名、商品名のタイトル、表示が義務付けられた複数の特定成分名として各栄養成分名が入力され、２行目以降に各項目に対応した具体的な値が入力される。
【００７５】
商品マスタＤｍ２に入力される特定成分の値は、本例では商品１００ｇ単位における含有量が、図５（ｂ）に示す単位で入力される。
【００７６】
次に、制御部１０で実行される処理について説明する。制御部１０は、ラベル作成アプリケーションＡ１で表示形態選択操作処理Ａ２を実行し、図６に示す表示形態選択操作画面２０を表示して、特定成分表示ラベルＬの表示形態を選択させる。
【００７７】
制御部１０は、表示形態選択操作画面２０で特定成分表示ラベルＬの表示形態を選択する操作が行われると、特定成分配置情報取得処理Ａ３を実行し、予め設定された特定成分配置情報Ｄｍ１から、表示形態選択操作処理Ａ２で選択された表示形態に該当する特定成分配置情報Ｄ１を取得する処理を実行する。
【００７８】
特定成分表示ラベルＬは、表示が義務付けられた特定成分であるエネルギー、たんぱく質、脂質、炭水化物、食塩相当量の５項目について、表示する順番が決められている。そこで、ラベル作成アプリケーションＡ１では、図５（ａ）に示す商品マスタＤｍ２において、表示すべき特定成分に対応してＣ〜Ｇ欄に入力された情報のラベル上での配置が、法令で決められている表示順に合わせて設定された特定成分配置情報Ｄ１が記憶される。
【００７９】
特定成分配置情報Ｄ１では、図５（ａ）に示す商品マスタＤｍ２のＣ欄に入力された「エネルギー」の項目のラベル上での位置、Ｄ欄に入力された「たんぱく質」の項目のラベル上での位置、Ｅ欄に入力された「脂質」の項目のラベル上での位置、Ｆ欄に入力された「炭水化物」の項目のラベル上での位置、及び、Ｇ欄に入力された「食塩相当量」の項目のラベル上での位置が、図６に示す表示形態選択操作画面２０で選択可能とした表示形態に合わせて設定される。
【００８０】
制御部１０は、特定成分配置情報Ｄ１を取得することで、各特定成分のラベル上での配置を設定可能である。
【００８１】
また、制御部１０は、表示形態選択操作画面２０で表示形態を選択する操作が行われると、商品選択操作処理Ａ４を実行し、図７に示す商品選択操作画面３０を表示して、特定成分表示ラベルＬを作成する商品名を選択させる。
【００８２】
制御部１０は、商品選択操作画面３０で商品名等を選択する操作が行われると、特定成分情報取得処理Ａ５を実行し、図５（ａ）に示す商品マスタＤｍ２から、商品選択操作処理Ａ４で選択された商品名に該当する特定成分情報Ｄ２を取得する処理を実行する。
【００８３】
更に、制御部１０は、商品選択操作画面３０で商品名等を選択する操作が行われると、量単位選択操作処理Ａ６を実行し、図８に示す量単位選択操作画面４０を表示して、特定成分表示ラベルＬに表示される各特定成分の量の単位を選択させる。
【００８４】
制御部１０は、量単位選択操作画面４０で特定成分の量を表示する単位を選択する操作が行われると、量単位演算処理Ａ７を実行し、商品選択操作処理Ａ４で選択された商品に該当する特定成分情報Ｄ２で特定される特定成分の量を、量単位選択操作で選択された単位に換算する演算処理を実行する。
【００８５】
制御部１０は、量単位選択操作画面４０で量単位を選択する操作が行われると、特定成分表示ラベル作成処理Ａ８を実行する。制御部１０は、商品選択操作処理Ａ４で選択された商品に該当する特定成分情報Ｄ２で特定される特定成分の成分名と、量単位演算処理Ａ７で選択された単位に合わせて演算された特定成分の量を、表示形態選択操作処理Ａ２で選択された表示形態に該当する特定成分配置情報Ｄ１で特定される表示順で配置した特定成分表示ラベル印刷データＤＬを作成する。
【００８６】
次に、各操作画面について説明する。図６に示す表示形態選択操作画面２０は、表示が義務付けられた複数の特定成分の成分名Ｅ１０と各特定成分の量Ｅ１１が、決められた順番で配置されると共に、一列に配置される特定成分の数を変える等により、本例では、３種類の異なるサイズで表示された表示パターン２１ａ〜２１ｃが表示される。また、表示形態選択操作画面２０は、各表示パターン２１ａ〜２１ｃに対応付けられた表示パターン選択項目２２ａ〜２２ｃが表示される。
【００８７】
表示パターン２１ａ〜２１ｃは、特定成分の成分名及び値が印刷される範囲の大きさが、本例では数値で表示され、選択された表示パターンで特定成分表示ラベルＬを印刷した場合における特定成分表示ラベルＬの大きさの認識が可能である。表示形態選択操作画面２０では、表示パターン選択項目２２ａ〜２２ｃの何れかにチェック２３が入れられることで、該当する表示パターンが選択される。
【００８８】
また、表示形態選択操作画面２０は、特定成分表示ラベルＬの書式選択操作として、文字サイズ選択項目２４と回転選択項目２５が表示される。文字サイズ選択項目２４では、例えば、プルダウンメニューで複数の文字サイズの中から任意の文字サイズが選択可能に構成され、法令で定められている範囲で、文字の大きさの変更が可能である。また、回転選択項目２５は、プルダウンメニューで特定成分表示ラベルＬを印刷する向きを回転させるか否か、回転させる角度、向きを選択可能に構成される。なお、書式選択操作として、フォントを選択できるようにしても良い。
【００８９】
更に、表示形態選択操作画面２０は、次の処理に進む操作が行われる操作進行ボタン２６と、処理を中断する操作中断ボタン２７が表示される。本例では、操作進行ボタン２６が操作されると、商品選択操作処理Ａ４で商品選択操作画面３０が表示される。
【００９０】
図７に示す商品選択操作画面３０は、特定成分表示ラベルＬを作成する商品を選択させる商品名選択項目３１が表示される。商品名選択項目３１は、図５（ａ）に示す商品マスタＤｍ２に登録された商品名Ｅ１２と、商品名Ｅ１２に対応付けられた商品選択項目３２が表示される。商品マスタＤｍ２に複数の商品が登録されている場合は、商品名選択項目３１には複数の商品名Ｅ１２が表示される。商品選択操作画面３０では、商品選択項目３２の何れかにチェック３３が入れられることで、該当する商品名が選択される。
【００９１】
また、商品選択操作画面３０は、次の処理に進む操作が行われる操作進行ボタン３４と、前の処理に戻る操作が行われる操作後退ボタン３５と、処理を中断する操作中断ボタン３６が表示される。本例では、操作進行ボタン３４が操作されると、量単位選択操作処理Ａ６で量単位選択操作画面４０が表示される。また、操作後退ボタン３５が操作されると、表示形態選択操作処理Ａ２で表示形態選択操作画面２０が表示される。
【００９２】
図８に示す量単位選択操作画面４０は、特定成分表示ラベルＬに表示される各特定成分の量の単位を選択させる単位重さ選択項目４１及び単位選択項目４２が表示される。単位重さ選択項目４１にチェック４３が入れられると、図５（ａ）に示す商品マスタＤｍ２に登録された特定成分の１００ｇあたりの量が選択される。
【００９３】
単位選択項目４２にチェック４３が入れられると、重さ設定項目４４と表示単位選択項目４５での選択が可能となる。重さ設定項目４４では、特定成分の量を表示する単位を、任意の重さ、例えば１ｇ単位で入力可能である。表示単位選択項目４５では、予め設定された表示単位の中から、所望の表示単位が選択可能である。
【００９４】
図９は、表示単位選択項目で選択可能な表示単位の一例を示す説明図である。表示単位選択項目４５でプルダウンボタン４５ａが操作されると、例えば、予め設定された複数の表示単位で構成される図９に示す内容のプルダウンメニュー４６が表示され、プルダウンメニュー４６の中から所望の表示形態が選択される。ここで、表示単位選択項目４５で例えば「１個（  ｇ）あたり」が選択されると、重さ設定項目４４で入力された値が（）内に反映され、特定成分表示ラベルＬでの配置が特定成分表示ラベル印刷データＤＬで設定される。
【００９５】
また、量単位選択操作画面４０は、次の処理に進む操作が行われる操作進行ボタン４７と、前の処理に戻る操作が行われる操作後退ボタン４８と、処理を中断する操作中断ボタン４９が表示される。本例では、操作進行ボタン４７が操作されると、特定成分表示ラベル作成処理Ａ８が実行される。また、操作後退ボタン４８が操作されると、商品選択操作処理Ａ４で商品選択操作画面３０が表示される。
【００９６】
＜本実施の形態のラベルプリンタの構成例＞
図１０は、本実施の形態のラベルプリンタの一例を示す機能構成図、図１１は、本実施の形態のラベルプリンタの一例を示す構成図である。
【００９７】
次に、各図を参照して、上述した本実施の形態のラベル作成アプリケーションＡ１で作成された特定成分表示ラベル印刷データＤＬを使用して特定成分表示ラベルＬを印刷、発行するラベルプリンタＬＰについて説明する。
【００９８】
ラベルプリンタＬＰは、図１１に示すように、長尺状の台紙がロール状に巻かれた形態で提供されるラベルＬｂが装填される。ラベルプリンタＬＰは、ラベルＬｂに印刷を行う印刷ヘッド５０と、印刷ヘッド５０に対向して設けられ、ラベルＬｂを搬送するプラテンローラ５１と、プラテンローラ５１を駆動する搬送モータ５１Ｍを備える。また、ラベルプリンタＬＰは、ラベルの有無、及び、ラベルの先端位置等を検知するラベルセンサ５２を備える。
【００９９】
ラベルプリンタＬＰは、図１０に示すように、特定成分表示ラベル印刷データＤＬを使用して特定成分表示ラベルＬを印刷、発行する制御部５３を備える。特定成分表示ラベル印刷データＤＬは、本例では外部メモリＭｅであるＵＳＢメモリで提供される。このため、ラベルプリンタＬＰは、外部メモリＭｅから特定成分表示ラベル印刷データＤＬを取得する読取部５４と、特定成分表示ラベル印刷データＤＬ等が記憶される記憶部５５を備える。  
【０１００】
また、ラベルプリンタＬＰは、特定成分表示ラベルＬを発行する操作を受ける入力部５６と、特定成分表示ラベルＬを発行する操作画面が表示される表示部５７を備える。更に、ラベルプリンタＬＰは、情報処理装置ＰＣを含む外部装置と接続される通信部５８を備える。
【０１０１】
制御部５３は制御手段の一例で、ＣＰＵ、ＭＰＵと称されるマイクロプロセッサ等を備える。読取部５４は読取手段の一例で、ＵＳＢメモリに対してデータの読み取り及び書き出しを行うＵＳＢホストインターフェースで構成される。記憶部５５は記憶手段の一例で、ＲＡＭ、フラッシュメモリ等の記憶装置で構成される。
【０１０２】
入力部５６は入力手段の一例で、キーボード等の入力装置で構成される。表示部５７は表示手段の一例で、液晶ディスプレイ等の表示装置で構成される。通信部５８は通信手段の一例で、イーサネット（登録商標）モジュール、ＵＳＢ等の有線による通信装置、無線ＬＡＮ等の無線による通信装置で構成される。
【０１０３】
＜本実施の形態の特定成分表示ラベル印刷データの作成動作例＞
図１２は、本実施の形態の特定成分表示ラベル印刷データの作成動作の一例を示すフローチャートで、次に、各図を参照して、本実施の形態のラベル作成アプリケーションＡ１で特定成分表示ラベル印刷データＤＬを作成する動作について説明する。
【０１０４】
図１２のステップＳＡ１で、情報処理装置ＰＣを使用して商品マスタＤｍ２が作成される。情報処理装置ＰＣでは、表計算ソフトが起動され、商品マスタＤｍ２の作成者により入力部１３が操作されて、食品名、商品名、特定成分である各栄養成分の量が所定の単位で入力されて、図５（ａ）に示す商品マスタＤｍ２が作成される。情報処理装置ＰＣの制御部１０は、作成された商品マスタＤｍ２を記憶部１２に記憶する。
【０１０５】
図１２のステップＳＡ２で、情報処理装置ＰＣでラベル作成アプリケーションＡ１を実行し、特定成分表示ラベル印刷データＤＬを作成する処理を開始する。まず、図１２のステップＳＡ３で、制御部１０は、ステップＳＡ１で作成した商品マスタＤｍ２の異常の有無をチェックし、正常であれば、ステップＳＡ４で、図５（ａ）に示す商品マスタＤｍ２を読み込む。
【０１０６】
商品マスタＤｍ２を取得すると、図１２のステップＳＡ５で、制御部１０は、ラベル作成アプリケーションＡ１で表示形態選択操作処理Ａ２を実行し、図６に示す表示形態選択操作画面２０を表示して、特定成分表示ラベルＬの表示形態を選択させる。
【０１０７】
表示形態選択操作処理Ａ２では、図６に示す表示形態選択操作画面２０で、表示パターン選択項目２２ａ〜２２ｃの何れかにチェック２３が入れられることで、該当する表示パターンが選択される。
【０１０８】
また、表示形態選択操作画面２０では、文字サイズ選択項目２４で文字サイズが選択され、回転選択項目２５で、特定成分表示ラベルＬを印刷する向きを回転させるか否か、回転させる角度、向きが選択される。
【０１０９】
表示形態選択操作画面２０で表示パターンが選択され、操作進行ボタン２６が操作されると、制御部１０は、特定成分配置情報取得処理Ａ３を実行し、予め設定された特定成分配置情報Ｄｍ１から、表示形態選択操作処理Ａ２で選択された表示形態に該当する特定成分配置情報Ｄ１を取得する処理を実行する。
【０１１０】
また、ステップＳＡ６で、制御部１０は、商品選択操作処理Ａ４を実行し、図７に示す商品選択操作画面３０を表示して、特定成分表示ラベルＬを作成する商品を選択させる。商品選択操作処理Ａ４では、図７に示す商品選択操作画面３０で、特定成分表示ラベル印刷データＤＬを作成したい商品名に対応した商品名選択項目３１の商品選択項目３２にチェック３３が入れられることで、該当する商品名が選択される。
【０１１１】
商品選択操作画面３０で商品名が選択され、操作進行ボタン３４が操作されると、制御部１０は、特定成分情報取得処理Ａ５を実行し、図５（ａ）に示す商品マスタＤｍ２から、商品選択操作処理Ａ４で選択された商品に該当する特定成分情報Ｄ２を取得する処理を実行する。
【０１１２】
ステップＳＡ７で、制御部１０は、特定成分情報Ｄ２で特定される各特定成分の量が、有効範囲内であるか否かを確認し、各特定成分の量が有効範囲内であれば、ステップＳＡ８で、制御部１０は、量単位選択操作処理Ａ６を実行し、図８に示す量単位選択操作画面４０を表示して、特定成分表示ラベルＬに表示される各特定成分の量の単位を選択させる。
【０１１３】
量単位選択操作処理Ａ６では、量単位選択操作画面４０で単位重さ選択項目４１にチェック４３が入れられると、図５（ａ）に示す商品マスタＤｍ２に登録された特定成分の１００ｇあたりの量が選択される。
【０１１４】
単位選択項目４２にチェック４３が入れられると、重さ設定項目４４では、特定成分の量を表示する単位が、任意の重さで選択され、表示単位選択項目４５では、予め設定された表示単位の中から、所望の表示単位が選択される。
【０１１５】
制御部１０は、量単位選択操作画面４０で特定成分の量を表示する単位を選択する操作が行われると、量単位演算処理Ａ７を実行し、商品選択操作処理Ａ４で選択された商品に該当する特定成分情報Ｄ２で特定される特定成分の量を、量単位選択操作で選択された単位に換算する演算処理を実行する。
【０１１６】
ステップＳＡ９で、制御部１０は、選択された単位に演算された各特定成分の量が、有効範囲内であるか否かを確認し、各特定成分の量が有効範囲内であれば、ステップＳＡ１０で、制御部１０は、特定成分表示ラベル作成処理Ａ８を実行する。
【０１１７】
制御部１０は、商品選択操作処理Ａ４で選択された商品に該当する特定成分情報Ｄ２で特定される特定成分の成分名と、量単位演算処理Ａ７で選択された単位に合わせて演算された特定成分の量を、表示形態選択操作処理Ａ２で選択された表示形態に該当する特定成分配置情報Ｄ１で特定される表示順で配置した特定成分表示ラベル印刷データＤＬを作成する。
【０１１８】
制御部１０は、ラベル作成アプリケーションＡ１で作成された特定成分表示ラベル印刷データＤＬを、ラベルプリンタＬＰで使用可能なデータフォーマットに変換し、ＵＳＢメモリ等の外部メモリＭｅに記憶する。
【０１１９】
上述した図１２のステップＳＡ３で、商品マスタＤｍ２が異常であると判断した場合、あるいは、ステップＳＡ７で、特定成分情報Ｄ２で特定される各特定成分の量が、有効範囲外であると判断した場合は、ステップＳＡ１１でエラーメッセージを表示し、ステップＳＡ１２で、特定成分表示ラベル印刷データＤＬを作成する処理を終了する。
【０１２０】
また、上述した図１２のステップＳＡ９で、選択された単位に演算された各特定成分の量が有効範囲外であると判断した場合は、ステップＳＡ１３でエラーメッセージを表示し、別の量単位の選択を促す。
【０１２１】
本実施の形態のラベル作成アプリケーションＡ１及びラベル作成アプリケーションＡ１を使用して特定成分表示ラベル印刷データＤＬを作成する情報処理装置ＰＣでは、図５（ａ）に示す商品マスタＤｍ２から、商品選択操作処理Ａ４で選択された商品に該当する特定成分情報Ｄ２を取得することで、特定成分表示ラベル作成時に特定成分の成分名と量を入力する必要がない。これにより、ラベル作成の手間が低減されると共に、当該アプリケーションを使用して作成されたラベル印刷時において、入力ミスによる誤発行が発生しない。
【０１２２】
また、特定成分情報Ｄ２で特定される特定成分の成分名と量を、特定成分配置情報Ｄ１で特定される表示順で配置した特定成分表示ラベル印刷データＤＬが作成されることで、決められた表示順に従い特定成分の成分名と量を配置する必要がある特定成分表示ラベルを、容易に作成可能である。
【０１２３】
更に、表示形態選択操作処理Ａ２で選択された表示形態に該当する特定成分配置情報Ｄ１で特定される表示順で配置した特定成分表示ラベル印刷データＤＬを作成することで、ラベルの大きさ、あるいは、ラベル中で特定成分の成分名と量を表示する範囲等に応じて、特定成分の表示順を変えることなく、特定成分表示ラベルＬの表示形態を切り替えることが可能である。
【０１２４】
また、量単位演算処理Ａ７によって、特定成分を表示する単位を、所定の重さ単位、一商品単位等、予め決められた単位の中から選択して、特定成分表示ラベル印刷データの作成が可能であり、単位を変更する際に、人手による換算の必要はない。
【０１２５】
更に、特定成分表示ラベル印刷データＤＬの作成時に、特定成分の成分名と値の内容は書き換えを不可として、文字の大きさ等の書式の変更が可能である。
【０１２６】
なお、商品マスタＤｍ２に、任意に表示すべき特定成分として、例えば、アレルギー物質の成分名と量を追加して入力すれば、表示が義務付けられた特定成分にアレルギー物質の成分名と量を加えた特定成分表示ラベル印刷データＤＬを作成可能である。
【０１２７】
また、ラベル作成アプリケーションＡ１では、商品選択操作処理Ａ４で選択された商品に該当する特定成分情報Ｄ２に対し、文字の表記を許容の範囲で選択可能としても良い。例えば、「たんぱく質」であれば、「タンパク質」、「蛋白質」、「たん白質」、「たんぱく」、「タンパク」の中から選択可能とする。これにより、作成者の表記ゆれによる誤記を防止できる。
【０１２８】
更に、ラベル作成アプリケーションＡ１では、商品選択操作処理Ａ４で選択された商品に該当する特定成分情報Ｄ２に対し、ナトリウム、カルシウム等のカタカナ表記は、一括してカタカナ表記と、化学式表記を選択可能としても良い。これにより、作成者の表記ゆれによる誤記を防止できる。
【０１２９】
また、ラベル作成アプリケーションＡ１では、商品選択操作処理Ａ４で選択された商品に該当する特定成分情報Ｄ２に対し、量の単位表示を「ｇ」と「グラム」から選択可能としても良い。これにより、ラベルのサイズの制約等に合わせて、内容を変更することなく、表記を変更することができる。
【０１３０】
更に、表示が義務付けられた特定成分以外の成分について、栄養機能食品で栄養成分が４つ以上ある場合は、任意の３つを選択して特定成分表示ラベル印刷データＤＬを作成できるようにしても良い。
【０１３１】
また、ラベル作成アプリケーションＡ１では、食品表示法の啓蒙表示である「食生活は、主食、主菜、副菜を基本に、食事のバランスを」の表示の有無を選択できるようにしても良い。これにより、特定保健用食品、栄養機能食品、遺伝子組み換え食品等に貼着するラベルを作成する際に、作成者の入力の手間を削減することができる。
【０１３２】
印刷対象のラベルの大きさが所定値以下である場合、所定の下限値より小さい文字サイズを選択不可としても良い。これにより、法令で決められた文字サイズでラベルを作成できる。ラベルの大きさの検出は、ラベル作成アプリケーションＡ１で作成した特定成分表示ラベル印刷データＤＬ等のラベル印刷データに基づき、制御部１０が自動検出しても良く、ラベルの大きさが所定値以下であることを選択する選択手段としてのチェックボックス等の選択項目の表示及びチェックの有無等の操作に応じた制御を、ラベル作成アプリケーションＡ１で実行し、ラベル作成者により選択できるようにしても良い。
【０１３３】
＜本実施の形態のラベルプリンタの動作例＞
次に、各図を参照して、ラベル作成アプリケーションＡ１を実行して情報処理装置ＰＣで作成された特定成分表示ラベル印刷データＤＬを使用して、特定成分表示ラベルＬを印刷する動作について説明する。
【０１３４】
ラベルプリンタＬＰの制御部５３は、読取部５４に装着された外部メモリＭｅから、ラベル作成アプリケーションＡ１を実行して情報処理装置ＰＣで作成された特定成分表示ラベル印刷データＤＬを取得する。
【０１３５】
制御部５３は、入力部５６及び表示部５７を使用しての操作で、特定成分表示ラベルＬを印刷すると選択された場合は、プラテンローラ５１を駆動してラベルＬｂを搬送すると共に、特定成分表示ラベル印刷データＤＬに従い印刷ヘッド５０を制御して、特定成分表示ラベルＬを印刷する。
【０１３６】
なお、ラベルプリンタＬＰは、入力部５６を操作してラベルの内容を変更可能な機能を備えている。但し、特定成分表示ラベル印刷データＤＬに関しては、編集を不可とすることで、操作ミス等による内容の改変を防ぐ。
【０１３７】
特定成分表示ラベル印刷データＤＬは、表示する項目であるオブジェクトのＩＤ、文字サイズ、文字列、起点座標等、オブジェクトの描画情報から構成されている。ラベルプリンタＬＰは、ラベル発行の際、描画情報のみを読み込んで画像データに変換すればよく、商品マスタ等、ラベルの内容を構成する情報のための記憶容量は不要で、商品マスタを使用したデータ作成の処理も必要としない。
【０１３８】
＜特定成分表示ラベル印刷データを作成する処理の変形例＞
図１３は、特定成分が表示された期限ラベルの一例を示す説明図である。情報処理装置ＰＣでは、ラベル作成アプリケーションを使用して、商品名６０と、商品に含まれる原材料名６１と、商品の賞味期限、消費期限等の期限情報６２と、製造者情報６３等を、入力部１３等の操作で取得し、これら情報のラベル上での配置を設定して期限ラベル印刷データＤｔが生成される。
【０１３９】
情報処理装置ＰＣは、本実施の形態のラベル作成アプリケーションＡ１で作成した特定成分表示ラベル印刷データＤＬを、期限ラベル印刷データＤｔに合成する。これにより、図１３に示すように、１枚のラベルの中に、期限ラベルＬｔの内容と特定成分表示ラベルＬの内容が表示されるラベル印刷データＤｖを作成することができる。
【０１４０】
ラベルプリンタＬＰでは、情報処理装置ＰＣで作成されたラベル印刷データＤｖを取得することで、図１３に示す特定成分表示付加期限ラベルＬｖを印刷して発行することができる。
【０１４１】
図１４〜図１６は、特定成分が表示された期限ラベルの他の例を示す説明図である。特定成分表示ラベルＬでは、特定成分の成分名と量の表示範囲の外側に、表示範囲を囲む枠の表示が奨励される。このため、図１４に示すように、特定成分表示ラベルＬの内容の外側に枠７０が表示されるラベル印刷データＤｖを作成することができる。
【０１４２】
ラベルプリンタＬＰでは、情報処理装置ＰＣで作成されたラベル印刷データＤｖを取得することで、図１４に示す特定成分表示付加期限ラベルＬｖを印刷して発行することができる。
【０１４３】
これに対し、特定成分表示ラベルＬの表示パターンによっては、枠７０を印刷しようとすると、図１５（ａ）に示すように、枠７０がラベル用紙Ｐからはみ出す場合がある。
【０１４４】
そこで、ラベル作成アプリケーションＡ１では、表示形態選択操作処理Ａ２で選択された表示形態に該当する特定成分配置情報Ｄ１で特定される表示順で特定成分の成分名と量を配置した場合に、印刷対象としたラベル用紙に枠が収まるか否かを判断する。枠がはみ出る場合と判断した場合は、枠がラベルからはみ出る旨の通知を行い、選択する表示パターンの変更等を促す操作画面を表示部１４に表示する。また、枠がはみ出ると判断した場合は、枠の表示の有無を選択させる操作画面を表示部１４に表示する。
【０１４５】
そして、枠を表示しないと選択されると、図１５（ｂ）に示すように、特定成分表示ラベルＬの内容の外側に枠を表示しないラベル印刷データＤｖを作成することができる。
【０１４６】
ラベルプリンタＬＰでは、情報処理装置ＰＣで作成されたラベル印刷データＤｖを取得することで、図１５（ｂ）に示す枠を非表示とした特定成分表示付加期限ラベルＬｖを印刷して発行することができる。
【０１４７】
なお、ラベルプリンタＬＰでも、情報処理装置ＰＣで作成されたラベル印刷データＤｖを取得すると、印刷対象としたラベル用紙に枠が収まるか否かを判断する。枠がはみ出ると判断した場合は、枠がラベルからはみ出る旨の通知を行い、レイアウトの変更やラベル交換等を促す操作画面を表示部５７に表示して、印刷を中断する。また、枠が収まると判断した場合は、図１４に示す枠７０を表示とした特定成分表示付加期限ラベルＬｖを印刷して発行する。
【０１４８】
また、特定成分表示ラベルＬの表示パターンによっては、枠７０を印刷しようとすると、図１６（ａ）に示すように、枠７０が他の文字７１に重なる場合がある。
【０１４９】
そこで、ラベル作成アプリケーションＡ１では、表示形態選択操作処理Ａ２で選択された表示形態に該当する特定成分配置情報Ｄ１で特定される表示順で特定成分の成分名と量を配置した場合に、ラベル用紙上の他の文字７１に重なるか否かを判断する。他の文字７１と重なると判断した場合は、枠が重なる旨の通知を行い、選択する表示パターンの変更等を促す操作画面を表示部１４に表示する。また、枠が重なると判断した場合は、枠の表示の有無を選択させる操作画面を表示部１４に表示する。
【０１５０】
そして、枠を表示しないと選択されると、図１６（ｂ）に示すように、特定成分表示ラベルＬの内容の外側に枠を表示しないラベル印刷データＤｖを作成することができる。
【０１５１】
ラベルプリンタＬＰでは、情報処理装置ＰＣで作成されたラベル印刷データＤｖを取得することで、図１６（ｂ）に示す枠を非表示とした特定成分表示付加期限ラベルＬｖを印刷して発行することができる。
【０１５２】
なお、ラベルプリンタＬＰでも、情報処理装置ＰＣで作成されたラベル印刷データＤｖを取得すると、枠が他の文字と重なるか否かを判断する。枠が重なると判断した場合は、枠が重なる旨の通知を行い、レイアウトの変更やラベル交換等を促す操作画面を表示部５７に表示して、印刷を中断する。また、枠が重ならないと判断した場合は、図１４に示す枠７０を表示とした特定成分表示付加期限ラベルＬｖを印刷して発行する。また、枠のみならず、特定成分表示ラベルＬがラベルに収まるか否か判断し、ラベルに収まらない場合は、レイアウトの変更やラベル交換等を促す操作画面を表示部５７に表示して、警告を発しても良い。
【０１５３】
図１７は、特定成分の内訳を表示した特定成分表示ラベルの一例を示す説明図である。特定成分表示ラベルＬでは、特定成分の内訳を表示しても良い。表示が義務付けられた特定成分７２の中で、例えば、「炭水化物」の項目７３において、「糖質」等の内訳７４ａと、各内訳の量７４ｂを表示する。これにより、特定成分の内訳が表示される特定成分表示ラベル印刷データＤＬを生成することができる。
【０１５４】
特定成分の内訳を表示するには、図５（ａ）に示す商品マスタＤｍ２において、内訳の成分名と、各成分の量を設定すれば良い。これにより、情報処理装置ＰＣでは、ラベル作成アプリケーションＡ１を実行して、商品マスタＤｍ２から、商品選択操作処理Ａ４で選択された商品に該当する特定成分情報Ｄ２を取得することで、特定成分の成分名と量、及び、所定の特定成分の内訳と量を取得して、特定成分表示ラベル印刷データＤＬを生成することができる。よって、特定成分表示ラベル印刷データＤＬを作成する作業で、内訳を表示するための情報を入力する必要はない。
【０１５５】
なお、特定成分表示ラベルＬでは、図１７に示すように、表示が義務付けられた特定成分７２以外に、他の栄養成分等の他成分７５を表示しても良い。他成分を表示するのも、図５（ａ）に示す商品マスタＤｍ２において、他成分の成分名と、他成分の量を設定すれば良い。
【０１５６】
図１８は、特定成分の内訳を表示した特定成分表示ラベルの他の例を示す説明図である。特定成分表示ラベルＬでは、特定成分の商品毎、材料毎等の内訳を表示しても良い。表示が義務付けられた特定成分７２の中で、「食塩相当量」に相当する「ナトリウム」の項目７６において、材料の内訳７７ａと、各内訳の量７７ｂを表示する。これにより、材料毎に含まれる特定成分の量が表示される特定成分表示ラベル印刷データＤＬを生成することができる。
【０１５７】
特定成分の内訳を表示するには、図５（ａ）に示す商品マスタＤｍ２において、内訳を構成する材料の成分名と、各成分の量を設定すれば良い。これにより、特定成分表示ラベル印刷データＤＬを作成する作業で、内訳を表示するための情報を入力する必要はない。
【０１５８】
図１９は、含有量が基準値未満の特定成分表示処理の一例を示す説明図である。図１９（ａ）に示す商品マスタＤｍ２において、表示すべき特定成分の中で、量が基準値未満である特定成分がある場合、特定成分表示ラベルＬにおいて、図１９（ｂ）に示すように、入力された値をそのまま表示してもよい。あるいは、図１９（ｃ）に示すように、入力された値を「０」に置換して表示してもよい。
【０１５９】
情報処理装置ＰＣでは、特定成分の値が基準値未満である場合、値を「０」に置換するか否かが設定される。情報処理装置ＰＣでは、ラベル作成アプリケーションＡ１を実行して、図１９（ａ）に示す商品マスタＤｍ２から、商品選択操作処理Ａ４で選択された商品に該当する特定成分情報Ｄ２を取得すると、各特定成分の値が基準値未満であるか判断する。量の値が基準値未満の特定成分については、設定に応じて、値を「０」に置換した特定成分表示ラベル印刷データＤＬが作成される。
【０１６０】
図２０は、含有量が０の特定成分表示処理の一例を示す説明図である。図２０（ａ）に示す商品マスタＤｍ２において、表示すべき特定成分の中で、量が「０」である特定成分が２つ以上ある場合、特定成分表示ラベルＬにおいて、図２０（ｂ）に示すように、入力された値を特定成分毎に表示してもよい。あるいは、図２０（ｃ）に示すように、量が「０」である特定成分については、成分名を一括して表示してもよい。
【０１６１】
情報処理装置ＰＣでは、特定成分の値が「０」である場合、成分名を一括して表示するか否かが設定される。情報処理装置ＰＣでは、ラベル作成アプリケーションＡ１を実行して、図２０（ａ）に示す商品マスタＤｍ２から、商品選択操作処理Ａ４で選択された商品に該当する特定成分情報Ｄ２を取得すると、各特定成分の値が「０」であるか判断する。量の値が「０」の特定成分については、設定に応じて、成分名を一括した特定成分表示ラベル印刷データＤＬが作成される。
【０１６２】
図２１は、商品マスタの他の例を示す説明図である。特定成分表示ラベルＬは、表示が義務付けられた特定成分であるエネルギー、たんぱく質、脂質、炭水化物、食塩相当量の５項目について、表示する順番が決められている。
【０１６３】
これに対し、商品マスタＤｍ２については、図２１に示すように、各特定成分を任意の順で入力しても良く、表示形態選択操作処理Ａ２で選択された特定成分配置情報Ｄ１で、予め決められている表示順で特定成分の成分名と量を配置すれば良い。
【０１６４】
図２２は、商品マスタの作成処理の一例を示す説明図である。情報処理装置ＰＣでは、表計算ソフトを使用し、図２２（ａ）に示す原材料マスタＤｍ５が作成される。原材料マスタＤｍ５では、１行目に項目名が入力され、２行目以降に物品である食品の総重量、及び、使用する原材料と重量が入力される。
【０１６５】
また、図２２（ｂ）に示す栄養成分マスタＤｍ６が作成される。商品マスタ作成アプリケーションでは、栄養成分マスタＤｍ６が予め記憶されていても良い。栄養成分マスタＤｍ６では、１行目に項目名が入力され、２行目以降に原材料と原材料の所定単位当たりの量が入力される。本例では、１００ｇ当たりの量が入力される。
【０１６６】
商品マスタ作成アプリケーションが実行されると、情報処理装置ＰＣの制御部１０は、原材料マスタＤｍ５に入力された物品名である食品名８０ａと商品名８０ｂを、図２２（ｃ）に示す栄養成分マスタＤｍ６の食品名８１ａと商品名８１ｂに入力する。
【０１６７】
制御部１０は、原材料マスタＤｍ５に入力されている原材料名で栄養成分マスタＤｍ６を検索する。そして、原材料マスタＤｍ５における食品の総重量、原材料の重量、栄養成分マスタＤｍ６内の当該原材料１００ｇあたりの含有成分の量から、食品１００ｇあたりの成分の量を演算し、商品マスタＤｍ７に入力して、商品マスタＤｍ７を作成する。
【０１６８】
図２２では、例えば、食品であるクッキーの原材料が小麦粉と砂糖であるとすると、クッキー１００ｇあたりのエネルギーＥ３は、以下の（１）式で求まる。
【０１６９】
Ｅ３＝（Ｍ２×Ｅ１＋Ｍ３×Ｅ２）／Ｍ１・・・（１）
但し、Ｅ１〜Ｅ２：エネルギー量、Ｍ１〜Ｍ１５：重量である
【０１７０】
これにより、商品マスタＤｍ７を簡単な操作で作成できる。
【産業上の利用可能性】
【０１７１】
本発明は、表示すべき項目及び順番等の配置が決められたラベルを作成、印刷する処理を行うアプリケーション、及び、アプリケーションが実行される装置に適用される。
【符号の説明】
【０１７２】
Ａ１・・・ラベル作成アプリケーション、Ａ２・・・表示形態選択操作処理、Ａ３・・・特定成分配置情報取得処理、Ａ４・・・商品選択操作処理、Ａ５・・・特定成分情報取得処理、Ａ６・・・量単位選択操作処理、Ａ７・・・量単位演算処理、Ａ８・・・特定成分表示ラベル作成処理、ＰＣ・・・情報処理装置、１０・・・制御部、１１・・・読取部、１２・・・記憶部、１３・・・入力部、１４・・・表示部、１５・・・書き出し部、１６・・・通信部、ＬＰ・・・ラベルプリンタ
【図１】
0006398713.tif 000002
【図２】
0006398713.tif 000003
【図３】
0006398713.tif 000004
【図４】
0006398713.tif 000005
【図５】
0006398713.tif 000006
【図６】
0006398713.tif 000007
【図７】
0006398713.tif 000008
【図８】
0006398713.tif 000009
【図９】
0006398713.tif 000010
【図１０】
0006398713.tif 000011
【図１１】
0006398713.tif 000012
【図１２】
0006398713.tif 000013
【図１３】
0006398713.tif 000014
【図１４】
0006398713.tif 000015
【図１５】
0006398713.tif 000016
【図１６】
0006398713.tif 000017
【図１７】
0006398713.tif 000018
【図１８】
0006398713.tif 000019
【図１９】
0006398713.tif 000020
【図２０】
0006398713.tif 000021
【図２１】
0006398713.tif 000022
【図２２】
0006398713.tif 000023